(57)【要約】【課題】複数人が一組で行う作業を徹底する。【解決手段】携帯通信端末制御システム１００は、複数の第１携帯通信端末１０Ａ，１０ｂと、アプリケーションプログラムに実行制限がかけられた制限状態と当該制限状態が解除された解除状態とのうちのいずれかの状態に移行する第２携帯通信端末２０と、を備えた携帯通信端末制御システム１００であって、第１携帯通信端末１０Ａは、他の第１携帯通信端末１０Ｂとの間での通信接続が確立状態にあると判別されるとともに第２携帯通信端末２０との間での通信接続も確立状態にあると判別された場合、当該第２携帯通信端末２０を制限状態から解除状態に移行させるための解除信号を当該第２携帯通信端末２０へ送信し、第２携帯通信端末２０は、第１携帯通信端末１０Ａから解除信号を受信した場合、当該第２携帯通信端末２０を制限状態から解除状態に移行させる。【選択図】図５
2020161857.tif 000002
【特許請求の範囲】
【請求項１】
特定の第１携帯通信端末を含む複数の第１携帯通信端末と、
所定の機能に実行制限がかけられた制限状態と当該制限状態が解除された解除状態とのうちのいずれかの状態に移行する第２携帯通信端末と、を備えた携帯通信端末制御システムであって、
前記特定の第１携帯通信端末は、
当該特定の第１携帯通信端末以外の他の第１携帯通信端末と前記第２携帯通信端末とのそれぞれの間での近距離無線通信による通信接続が確立状態にあるか否かを判別する第１携帯通信端末側判別手段と、
前記第１携帯通信端末側判別手段により前記他の第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段と、
を備え、
前記第２携帯通信端末は、
前記特定の第１携帯通信端末から前記解除信号を受信した場合、当該第２携帯通信端末を前記解除状態に移行させる制御手段を備える、
ことを特徴とする携帯通信端末制御システム。
【請求項２】
前記解除状態には、前記所定の機能の全てに対する実行制限が解除された第１解除状態と、前記所定の機能の一部に対する実行制限が解除された第２解除状態と、が含まれ、
前記送信制御手段は、
前記第１携帯通信端末側判別手段により前記他の第１携帯通信端末との間での前記通信接続が確立状態にあると判別されるとともに前記第２携帯通信端末との間での前記通信接続も確立状態にあると判別された場合、当該第２携帯通信端末を前記第１解除状態に移行させるための第１解除信号を当該第２携帯通信端末へ送信し、
前記第１携帯通信端末側判別手段により前記他の第１携帯通信端末との間での前記通信接続が確立状態にないと判別されるとともに前記第２携帯通信端末との間での前記通信接続が確立状態にあると判別された場合、当該第２携帯通信端末を前記第２解除状態に移行させるための第２解除信号を当該第２携帯通信端末へ送信し、
前記制御手段は、
前記特定の第１携帯通信端末から前記第１解除信号を受信した場合、当該第２携帯通信端末を前記第１解除状態に移行させ、
前記特定の第１携帯通信端末から前記第２解除信号を受信した場合、当該第２携帯通信端末を前記第２解除状態に移行させる、
ことを特徴とする請求項１に記載の携帯通信端末制御システム。
【請求項３】
前記第２携帯通信端末は、
前記特定の第１携帯通信端末との間での前記通信接続が確立状態にあるか否かを判別する第２携帯通信端末側判別手段を備え、
前記制御手段は、
前記第２携帯通信端末側判別手段により前記特定の第１携帯通信端末との間での前記通信接続が確立状態にないと判別された場合、当該第２携帯通信端末を前記解除状態から前記制限状態に移行させる、
ことを特徴とする請求項１又は２に記載の携帯通信端末制御システム。
【請求項４】
前記第１携帯通信端末は、スマートウォッチであり、
前記第２携帯通信端末は、タブレット型端末である、
ことを特徴とする請求項１〜３のいずれか一項に記載の携帯通信端末制御システム。
【請求項５】
一のユーザーが身に着けて使用する親機としての第１のスマートウォッチと、
前記一のユーザーと揃った状態で所定の業務を行う他のユーザーが身に着けて使用する子機としての第２のスマートウォッチと、
前記一のユーザーと前記他のユーザーとが前記業務を行う際に使用され、所定の機能に実行制限がかけられた制限状態と当該制限状態が解除された解除状態とのうちのいずれかの状態に移行するタブレット型端末と、を備えた携帯通信端末制御システムであって、
前記第１のスマートウォッチは、
前記第２のスマートウォッチと前記タブレット型端末とのそれぞれの間での近距離無線通信による通信接続が確立状態にあるか否かを判別する判別手段と、
前記判別手段により前記第２のスマートウォッチとの間での前記通信接続が確立状態にあると判別されるとともに前記タブレット型端末との間での前記通信接続も確立状態にあると判別された場合、当該タブレット型端末を前記解除状態に移行させるための解除信号を当該タブレット型端末へ送信する送信制御手段と、
を備え、
前記タブレット型端末は、
前記第１のスマートウォッチから前記解除信号を受信した場合、当該タブレット型端末を前記解除状態に移行させる制御手段を備える、
ことを特徴とする携帯通信端末制御システム。
【請求項６】
一のユーザーに身に着けられ、所定の近距離通信方式における親機として機能する第１のスマートウォッチと、
前記一のユーザーと揃った状態で所定の業務を行う他のユーザーに身に着けられ、前記所定の近距離通信方式における子機として機能する第２のスマートウォッチと、
前記一のユーザーと前記他のユーザーとが前記業務を行う際に使用され、前記第１のスマートウォッチと前記第２のスマートウォッチとの通信接続状態に応じて、所定の機能に実行制限がかけられた制限状態と当該制限状態が解除された解除状態とのうちのいずれかの状態に移行する前記所定の近距離通信方式における子機として機能するタブレット型端末と、
を備えることを特徴とする携帯通信端末制御システム。
【請求項７】
１又は２以上の第１携帯通信端末と、所定の機能に実行制限がかけられた制限状態と当該制限状態が解除された解除状態とのうちのいずれかの状態に移行する第２携帯通信端末とのそれぞれの間での近距離無線通信による通信接続が確立状態にあるか否かを判別する判別手段と、
前記判別手段により前記第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段と、
を備えることを特徴とする携帯通信端末。
【請求項８】
コンピュータを、
１又は２以上の第１携帯通信端末と、所定の機能に実行制限がかけられた制限状態と当該制限状態が解除された解除状態とのうちのいずれかの状態に移行する第２携帯通信端末とのそれぞれの間での近距離無線通信による通信接続が確立状態にあるか否かを判別する判別手段、
前記判別手段により前記第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段、
として機能させることを特徴とするプログラム。
【発明の詳細な説明】
【技術分野】
【０００１】
本発明は、携帯通信端末制御システム、携帯通信端末及びプログラムに関する。
【背景技術】
【０００２】
従来、第三者による端末装置の不正使用を防止することを目的として、例えば、ユーザーが所有する携帯端末との近距離無線通信による接続が可能な場合にのみ端末装置のロックを解除するシステムが開示されている（例えば、特許文献１、２参照）。
【先行技術文献】
【特許文献】
【０００３】
【特許文献１】特許第６２１１５７４号公報
【特許文献２】特開２００４−１０２６８２号公報
【発明の概要】
【発明が解決しようとする課題】
【０００４】
しかしながら、上記特許文献１、２に開示されているシステムでは、二人一組での作業（例えば、現金輸送等）が徹底される警備業務等において端末装置を使用する場合、携帯端末を所有する作業者が単独で端末装置に近づいていれば、必ずしも二人が揃っていなくても端末装置の使用が可能となってしまい、二人一組での作業を徹底することができない。
【０００５】
本発明は、このような問題に鑑みてなされたものであり、複数人が一組で行う作業を徹底することを目的とする。
【課題を解決するための手段】
【０００６】
上記課題を解決するため、本発明に係る携帯通信端末制御システムは、
特定の第１携帯通信端末を含む複数の第１携帯通信端末と、
所定の機能に実行制限がかけられた制限状態と当該制限状態が解除された解除状態とのうちのいずれかの状態に移行する第２携帯通信端末と、を備えた携帯通信端末制御システムであって、
前記特定の第１携帯通信端末は、
当該特定の第１携帯通信端末以外の他の第１携帯通信端末と前記第２携帯通信端末とのそれぞれの間での近距離無線通信による通信接続が確立状態にあるか否かを判別する第１携帯通信端末側判別手段と、
前記第１携帯通信端末側判別手段により前記他の第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段と、
を備え、
前記第２携帯通信端末は、
前記特定の第１携帯通信端末から前記解除信号を受信した場合、当該第２携帯通信端末を前記解除状態に移行させる制御手段を備える、
ことを特徴とする。
【発明の効果】
【０００７】
本発明によれば、複数人が一組で行う作業を徹底することができる。
【図面の簡単な説明】
【０００８】
【図１】携帯通信端末制御システムの構成を示す図である。
【図２】携帯通信端末制御システムの構成を示す図である。
【図３】第１携帯通信端末の機能構成を示すブロック図である。
【図４】第２携帯通信端末の機能構成を示すブロック図である。
【図５】ＢＬＥによる近距離無線においてセントラルとして機能する第１携帯通信端末の状態制御処理を示すフローチャートである。
【図６】ＢＬＥによる近距離無線においてセントラルとして機能する第１携帯通信端末の表示更新処理を示すフローチャートである。
【図７】（ａ）はＢＬＥによる近距離無線においてセントラルとして機能する第１携帯通信端末とペリフェラルとして機能する第１携帯通信端末とが確立状態に移行した際の各端末の表示部における表示態様の一例を示す図であり、（ｂ）はセントラルとして機能する第１携帯通信端末とペリフェラルとして機能する第１携帯通信端末とが切断状態に移行した際の各端末の表示部における表示態様の一例を示す図である。
【図８】ＢＬＥによる近距離無線においてペリフェラルとして機能する第２携帯通信端末の状態移行処理を示すフローチャートである。
【図９】（ａ）は第１解除状態に移行した際の第２携帯通信端末の表示部における表示態様の一例を示す図であり、（ｂ）は第２解除状態に移行した際の第２携帯通信端末の表示部における表示態様の一例を示す図であり、（ｃ）はロック状態に移行した際の第２携帯通信端末の表示部における表示態様の一例を示す図である。
【発明を実施するための形態】
【０００９】
以下、添付図面を参照して、本発明に係る実施の形態を詳細に説明する。なお、本発明は、図示例に限定されるものではない。
【００１０】
＜携帯通信端末制御システム１００の構成＞
図１及び図２は、本実施形態の携帯通信端末制御システム１００の構成を示す図である。
図１及び図２に示すように、携帯通信端末制御システム１００は、２つの第１携帯通信端末１０Ａ，１０Ｂと、第２携帯通信端末２０と、を備えて構成されている。
【００１１】
第１携帯通信端末１０Ａ，１０Ｂ及び第２携帯通信端末２０は、ＢＬＥ（Bluetooth（登録商標） Low Energy）による近距離無線通信を行う。具体的には、一方の第１携帯通信端末１０Ａ（特定の第１携帯通信端末、携帯通信端末）をセントラル（親機）とし、他方の第１携帯通信端末１０Ｂ及び第２携帯通信端末２０をペリフェラル（子機）として近距離無線通信を行う。
【００１２】
第１携帯通信端末１０Ａ，１０Ｂは、例えば、警備業務において、二人一組で現金輸送等の作業を行うＡ氏とＢ氏とがそれぞれ身に着けて使用するスマートウォッチである。本実施形態の携帯通信端末制御システム１００では、第１携帯通信端末１０Ａ（第１のスマートウォッチ）はＡ氏（一方のユーザー）により身に着けられ、第１携帯通信端末１０Ｂ（第２のスマートウォッチ）はＢ氏により身に着けられているものとする。
【００１３】
第２携帯通信端末２０は、ハンディーターミナルやスマートフォン等のタブレット型端末であり、Ａ氏とＢ氏とが二人一組で現金輸送等の作業を行う際に使用される端末機器である。本実施形態の携帯通信端末制御システム１００では、第２携帯通信端末２０は、Ａ氏が携帯しているものとする。第２携帯通信端末２０には、上述のように現金輸送等の作業を行う際に使用されるアプリケーションプログラム（アプリケーションプログラム１及びアプリケーションプログラム２；後述）がインストールされている。このアプリケーションプログラムは、Ａ氏とＢ氏とが揃っていない場合、すなわちＡ氏が身に着けている第１携帯通信端末１０Ａと、Ｂ氏が身に着けている第１携帯通信端末１０Ｂと、がＢＬＥによる近距離無線通信を行うことが可能な範囲に存在しない場合、実行することができないようになっている。
【００１４】
＜第１携帯通信端末の構成＞
次に、第１携帯通信端末１０Ａ，１０Ｂについて、図３を参照して説明する。
ここで、第１携帯通信端末１０ＡをＢＬＥによる近距離無線通信におけるセントラルとして機能させる一方で、第１携帯通信端末１０Ｂをペリフェラルとして機能させる以外は、第１携帯通信端末１０Ａ，１０Ｂの構成及び動作は略同様であるため、代表して第１携帯通信端末１０Ａを例示して説明する。
図３は、第１携帯通信端末１０Ａの機能構成を示すブロック図である。
【００１５】
図３に示すように、第１携帯通信端末１０Ａは、ＣＰＵ（Central Processing Unit）１１、ＲＡＭ（Random Access Memory）１２、記憶部１３、操作部１４、表示部１５、通信部１６、計時部１７等を備えて構成され、各部がバス１８を介して接続されている。
【００１６】
ＣＰＵ（第１携帯通信端末側判別手段（判別手段）、送信制御手段）１１は、第１携帯通信端末１０Ａの各部を制御するプロセッサである。ＣＰＵ１１は、記憶部１３に記憶されたプログラムを読み出してＲＡＭ１２に展開し、当該プログラムを実行して各種演算処理を行う。
【００１７】
ＲＡＭ１２は、ＣＰＵ１１に作業用のメモリ空間を提供し、一時データを記憶する。ＲＡＭ１２は、不揮発性メモリを含んでいてもよい。
【００１８】
記憶部１３は、ＣＰＵ１１により実行されるプログラムや設定データといった各種データを記憶する。プログラムは、コンピュータ読み取り可能なプログラムコードの形態で記憶部１３に格納されている。記憶部１３としては、例えばＨＤＤ（Hard Disk Drive）、ＳＳＤ（Solid State Drive）、フラッシュメモリなどの、データの保持に電源を要しない記憶装置が用いられる。
記憶部１３に記憶される設定データとしては、通信部１６がＢＬＥによる近距離無線通信を行う対象の第１携帯通信端末１０Ｂや第２携帯通信端末２０を識別、特定するための識別データなどが含まれる。
【００１９】
操作部１４は、押しボタンスイッチや、表示部１５上に設けられるタッチセンサ等を有して構成され、ユーザーの入力操作を受け付けて、操作内容を電気信号に変換してＣＰＵ１１に出力する。
【００２０】
表示部１５は、ＬＣＤ等で構成され、ＣＰＵ１１からの表示制御信号に従って画面表示を行う。また、表示部１５の表示画面上には上記タッチセンサが設けられており、タッチパネル方式の操作表示手段として機能する。
【００２１】
通信部１６は、アンテナ、変復調回路、信号処理回路などを有する通信モジュールであり、ＢＬＥによる近距離無線通信に係る通信規格に従って、第１携帯通信端末１０Ｂの通信部１６や第２携帯通信端末２０の通信部２６との間で無線データ通信を行う。
【００２２】
計時部１７は、例えば、タイマーや計時回路等を備えて構成され、現在の時刻を計時し時刻情報を取得する。
【００２３】
＜第２携帯通信端末の構成＞
図４は、第２携帯通信端末２０の機能構成を示すブロック図である。
図４に示すように、第２携帯通信端末２０は、ＣＰＵ２１、ＲＡＭ２２、記憶部２３、操作部２４、表示部２５、通信部２６等を備えて構成され、各部がバス２７を介して接続されている。
【００２４】
ＣＰＵ（制御手段、第２携帯通信端末側判別手段）２１は、第２携帯通信端末２０の各部を制御するプロセッサである。ＣＰＵ２１は、記憶部２３に記憶されたプログラム（上述のアプリケーションプログラム等を含む）を読み出してＲＡＭ２２に展開し、当該プログラムを実行して各種演算処理を行う。
【００２５】
ＲＡＭ２２は、ＣＰＵ２１に作業用のメモリ空間を提供し、一時データを記憶する。ＲＡＭ２２は、不揮発性メモリを含んでいてもよい。
【００２６】
記憶部２３は、ＣＰＵ２１により実行されるプログラムや設定データといった各種データを記憶する。プログラムは、コンピュータ読み取り可能なプログラムコードの形態で記憶部２３に格納されている。記憶部２３としては、例えばＨＤＤ、ＳＳＤ、フラッシュメモリなどが用いられる。
記憶部２３に記憶される設定データとしては、通信部２６がＢＬＥによる近距離無線通信を行う対象の第１携帯通信端末１０Ａを識別、特定するための識別データなどが含まれる。
【００２７】
操作部２４は、押しボタンスイッチや、表示部２５上に設けられるタッチセンサ等を有して構成され、ユーザーの入力操作を受け付けて、操作内容を電気信号に変換してＣＰＵ２１に出力する。
【００２８】
表示部２５は、ＬＣＤ、ＣＲＴ等で構成され、ＣＰＵ２１からの表示制御信号に従って画面表示を行う。また、表示部２５の表示画面上には上記タッチセンサが設けられており、タッチパネル方式の操作表示手段として機能する。
【００２９】
通信部２６は、アンテナ、変復調回路、信号処理回路などを有する通信モジュールであり、ＢＬＥによる近距離無線通信に係る通信規格に従って、第１携帯通信端末１０Ａの通信部１６との間で無線データ通信を行う。
【００３０】
＜携帯通信端末制御システムの動作の概要＞
次に、携帯通信端末制御システム１００の動作について、図５〜図９を参照して説明する。
【００３１】
［状態制御処理］
図５は、ＢＬＥによる近距離無線においてセントラルとして機能する第１携帯通信端末１０Ａの状態制御処理を示すフローチャートである。
図５に示すように、先ず、第１携帯通信端末１０ＡのＣＰＵ１１は、ＢＬＥによる近距離無線における第１携帯通信端末１０Ｂとの通信接続状態が切断状態から確立状態に移行したか否かを判定する（ステップＳ１）。つまり、ステップＳ１において、Ａ氏とＢ氏とが互いに離れた状態から揃った状態（近づいた状態）に移行したか否かの判定がなされる。
【００３２】
ステップＳ１において、第１携帯通信端末１０Ｂとの通信接続状態が切断状態から確立状態に移行したと判定された場合（ステップＳ１；ＹＥＳ）、第１携帯通信端末１０ＡのＣＰＵ１１は、ＢＬＥによる近距離無線における第２携帯通信端末２０との通信接続状態が既に確立状態であるか否かを判定する（ステップＳ２）。
【００３３】
ステップＳ２において、第２携帯通信端末２０との通信接続状態が既に確立状態であると判定された場合（ステップＳ２；ＹＥＳ）、第１携帯通信端末１０ＡのＣＰＵ１１は、通信部１６を介して、第２携帯通信端末２０の全てのアプリケーションプログラムの実行制限を解除するための第１解除信号を当該第２携帯通信端末２０へ送信する（ステップＳ３）。そして、第１携帯通信端末１０ＡのＣＰＵ１１は、処理をステップＳ１へ戻し、それ以降の処理を繰り返し行う。
【００３４】
また、ステップＳ２において、第２携帯通信端末２０との通信接続状態が確立状態ではない、すなわち切断状態であると判定された場合（ステップＳ２；ＮＯ）、第１携帯通信端末１０ＡのＣＰＵ１１は、処理をステップＳ１へ戻し、それ以降の処理を繰り返し行う。
【００３５】
また、ステップＳ１において、第１携帯通信端末１０Ｂとの通信接続状態が切断状態から確立状態に移行していないと判定された場合（ステップＳ１；ＮＯ）、第１携帯通信端末１０ＡのＣＰＵ１１は、第１携帯通信端末１０Ｂとの通信接続状態が既に確立状態であるか否かを判定する（ステップＳ４）。
【００３６】
ステップＳ４において、第１携帯通信端末１０Ｂとの通信接続状態が既に確立状態であると判定された場合（ステップＳ４；ＹＥＳ）、第１携帯通信端末１０ＡのＣＰＵ１１は、第２携帯通信端末２０との通信接続状態が切断状態から確立状態に移行したか否かを判定する（ステップＳ５）。
【００３７】
ステップＳ５において、第２携帯通信端末２０との通信接続状態が切断状態から確立状態に移行したと判定された場合（ステップＳ５；ＹＥＳ）、第１携帯通信端末１０ＡのＣＰＵ１１は、通信部１６を介して、第１解除信号を当該第２携帯通信端末２０へ送信する（ステップＳ３）。そして、第１携帯通信端末１０ＡのＣＰＵ１１は、処理をステップＳ１へ戻し、それ以降の処理を繰り返し行う。
【００３８】
また、ステップＳ５において、第２携帯通信端末２０との通信接続状態が切断状態から確立状態に移行していないと判定された場合（ステップＳ５；ＮＯ）、第１携帯通信端末１０ＡのＣＰＵ１１は、処理をステップＳ１へ戻し、それ以降の処理を繰り返し行う。
【００３９】
また、ステップＳ４において、第１携帯通信端末１０Ｂとの通信接続状態が確立状態ではない、すなわち切断状態であると判定された場合（ステップＳ４；ＮＯ）、第１携帯通信端末１０ＡのＣＰＵ１１は、第２携帯通信端末２０との通信接続状態が切断状態から確立状態に移行したか否かを判定する（ステップＳ６）。
【００４０】
ステップＳ６において、第２携帯通信端末２０との通信接続状態が切断状態から確立状態に移行したと判定された場合（ステップＳ６；ＹＥＳ）、第１携帯通信端末１０ＡのＣＰＵ１１は、通信部１６を介して、第２携帯通信端末２０の一部のアプリケーションプログラムの実行制限を解除するための第２解除信号を当該第２携帯通信端末２０へ送信する（ステップＳ７）。そして、第１携帯通信端末１０ＡのＣＰＵ１１は、処理をステップＳ１へ戻し、それ以降の処理を繰り返し行う。
【００４１】
また、ステップＳ６において、第２携帯通信端末２０との通信接続状態が切断状態から確立状態に移行していないと判定された場合（ステップＳ６；ＮＯ）、第１携帯通信端末１０ＡのＣＰＵ１１は、処理をステップＳ１へ戻し、それ以降の処理を繰り返し行う。
【００４２】
［表示更新処理］
図６は、第１携帯通信端末１０Ａの表示更新処理を示すフローチャートである。図７（ａ）は第１携帯通信端末１０Ａと第１携帯通信端末１０Ｂとが確立状態に移行した際の各端末の表示部１５における表示態様の一例を示す図であり、（ｂ）は第１携帯通信端末１０Ａと第１携帯通信端末１０Ｂとが切断状態に移行した際の各端末の表示部１５における表示態様の一例を示す図である。
なお、この表示更新処理は、ＢＬＥによる近距離無線においてペリフェラルとして機能する第１携帯通信端末１０Ｂにおいても同様の処理がなされるため、代表して第１携帯通信端末１０Ａの表示更新処理を例示して説明する。
【００４３】
図６に示すように、先ず、第１携帯通信端末１０ＡのＣＰＵ１１は、ＢＬＥによる近距離無線における第１携帯通信端末１０Ｂとの通信接続状態が切断状態から確立状態に移行したか否かを判定する（ステップＳ１１）。つまり、ステップＳ１１において、Ａ氏とＢ氏とが互いに離れた状態から揃った状態に移行したか否かの判定がなされる。
【００４４】
ステップＳ１１において、第１携帯通信端末１０Ｂとの通信接続状態が切断状態から確立状態に移行したと判定された場合（ステップＳ１１；ＹＥＳ）、第１携帯通信端末１０ＡのＣＰＵ１１は、図７（ａ）に示すように、確立状態に移行した旨（例えば、「ＢＢＢＢ端末と接続中」の文字情報）を第１携帯通信端末１０Ａの表示部１５に表示する（ステップＳ１２）。また、このとき、第１携帯通信端末１０Ｂにおいても、確立状態に移行した旨（例えば、「ＡＡＡＡ端末と接続中」の文字情報）が第１携帯通信端末１０Ｂの表示部１５に表示される。ここで、各端末の表示部１５に表示される「ＡＡＡＡ」は第１携帯通信端末１０Ａを識別するための名称であり、「ＢＢＢＢ」は第１携帯通信端末１０Ｂを識別するための名称である。なお、このとき、第１携帯通信端末１０ＡのＣＰＵ１１は、当該第１携帯通信端末１０Ａが備える振動モーター（図示省略）を動作させることで、確立状態に移行した旨を報知するようにしてもよい。
一方、ステップＳ１１において、第１携帯通信端末１０Ｂとの通信接続状態が切断状態から確立状態に移行していないと判定された場合（ステップＳ１１；ＮＯ）、第１携帯通信端末１０ＡのＣＰＵ１１は、ステップＳ１２をスキップして、処理をステップＳ１３へ進める。
【００４５】
次いで、第１携帯通信端末１０ＡのＣＰＵ１１は、ＢＬＥによる近距離無線における第１携帯通信端末１０Ｂとの通信接続状態が確立状態から切断状態に移行したか否かを判定する（ステップＳ１３）。つまり、ステップＳ１３において、Ａ氏とＢ氏とが互いに揃った状態から離れた状態に移行したか否かの判定がなされる。
【００４６】
ステップＳ１３において、第１携帯通信端末１０Ｂとの通信接続状態が確立状態から切断状態に移行したと判定された場合（ステップＳ１３；ＹＥＳ）、第１携帯通信端末１０ＡのＣＰＵ１１は、図７（ｂ）に示すように、切断状態に移行した旨（例えば、「ＢＢＢＢ端末と切断中」の文字情報）を第１携帯通信端末１０Ａの表示部１５に表示する（ステップＳ１４）。また、このとき、第１携帯通信端末１０Ｂにおいても、切断状態に移行した旨（例えば、「ＡＡＡＡ端末と切断中」の文字情報）が第１携帯通信端末１０Ｂの表示部１５に表示される。そして、第１携帯通信端末１０ＡのＣＰＵ１１は、処理をステップＳ１１へ戻し、それ以降の処理を繰り返し行う。なお、このとき、第１携帯通信端末１０ＡのＣＰＵ１１は、当該第１携帯通信端末１０Ａが備える振動モーター（図示省略）を動作させることで、切断状態に移行した旨を報知するようにしてもよい。
一方、ステップＳ１３において、第１携帯通信端末１０Ｂとの通信接続状態が確立状態から切断状態に移行していないと判定された場合（ステップＳ１３；ＮＯ）、第１携帯通信端末１０ＡのＣＰＵ１１は、処理をステップＳ１１へ戻し、それ以降の処理を繰り返し行う。
【００４７】
［状態移行処理］
図８は、ＢＬＥによる近距離無線においてペリフェラルとして機能する第２携帯通信端末２０の状態移行処理を示すフローチャートである。図９（ａ）は第１解除状態に移行した際の第２携帯通信端末２０の表示部２５における表示態様の一例を示す図であり、（ｂ）は第２解除状態に移行した際の第２携帯通信端末２０の表示部２５における表示態様の一例を示す図であり、（ｃ）はロック状態に移行した際の第２携帯通信端末２０の表示部２５における表示態様の一例を示す図である。
【００４８】
図８に示すように、先ず、第２携帯通信端末２０のＣＰＵ２１は、ＢＬＥによる近距離無線における第１携帯通信端末１０Ａとの通信接続状態が確立状態にあるか否かを判定する（ステップＳ２１）。
【００４９】
ステップＳ２１において、第１携帯通信端末１０Ａとの通信接続状態が確立状態にあると判定された場合（ステップＳ２１；ＹＥＳ）、第２携帯通信端末２０のＣＰＵ２１は、通信部２６を介して、第１携帯通信端末１０Ａから第１解除信号を受信したか否かを判定する（ステップＳ２２）。
一方、ステップＳ２１において、第１携帯通信端末１０Ａとの通信接続状態が確立状態にない、すなわち切断状態にあると判定された場合（ステップＳ２１；ＮＯ）、第２携帯通信端末２０のＣＰＵ２１は、処理をステップＳ２１へ戻し、それ以降の処理を繰り返し行う。
【００５０】
ステップＳ２２において、第１携帯通信端末１０Ａから第１解除信号を受信したと判定された場合（ステップＳ２２；ＹＥＳ）、第２携帯通信端末２０のＣＰＵ２１は、当該端末を、当該端末のアプリケーションプログラムの全てに対する実行制限が解除された第１解除状態に移行させる（ステップＳ２３）。図９（ａ）に示すように、第１解除状態に移行すると、第２携帯通信端末２０の表示部２５では、各アプリケーションプログラムを起動させるための起動ボタンＢ１，Ｂ２，Ｂ３，Ｂ４，…のそれぞれが操作可能な状態で表示されるようになっている。ここで、これらのアプリケーションプログラムのうちアプリケーションプログラム（アプリケーション）１及びアプリケーションプログラム（アプリケーション）２は、秘匿性の高い情報（例えば、金融情報や個人情報等）を扱うプログラムであり、Ａ氏とＢ氏とが揃った状態での実行が求められる（セキュリティ性が求められる）プログラムとなっている。第１解除状態では、アプリケーションプログラム１及びアプリケーションプログラム２の実行が可能となっている。
そして、第２携帯通信端末２０のＣＰＵ２１は、処理をステップＳ２１へ戻し、それ以降の処理を繰り返し行う。
【００５１】
また、ステップＳ２２において、第１携帯通信端末１０Ａから第１解除信号を受信していないと判定された場合（ステップＳ２２；ＮＯ）、第２携帯通信端末２０のＣＰＵ２１は、通信部２６を介して、第１携帯通信端末１０Ａから第２解除信号を受信したか否かを判定する（ステップＳ２４）。
【００５２】
ステップＳ２４において、第１携帯通信端末１０Ａから第２解除信号を受信したと判定された場合（ステップＳ２４；ＹＥＳ）、第２携帯通信端末２０のＣＰＵ２１は、当該端末の状態を第２解除状態に移行させる（ステップＳ２５）。図９（ｂ）に示すように、第２解除状態に移行すると、第２携帯通信端末２０の表示部２５では、各アプリケーションプログラムのうちアプリケーションプログラム１及びアプリケーションプログラム２を起動させるための起動ボタンＢ１，Ｂ２が操作できない状態で表示されるようになっている。つまり、第２解除状態では、アプリケーションプログラム１及びアプリケーションプログラム２以外のアプリケーションプログラム、すなわちＡ氏とＢ氏とが揃った状態での実行が求められないプログラムのみ実行が可能となっている。
そして、第２携帯通信端末２０のＣＰＵ２１は、処理をステップＳ２１へ戻し、それ以降の処理を繰り返し行う。
【００５３】
また、ステップＳ２４において、第１携帯通信端末１０Ａから第２解除信号を受信していないと判定された場合（ステップＳ２４；ＮＯ）、第２携帯通信端末２０のＣＰＵ２１は、第１携帯通信端末１０Ａとの通信接続状態が確立状態から切断状態に移行したか否かを判定する（ステップＳ２６）。
【００５４】
ステップＳ２６において、第１携帯通信端末１０Ａとの通信接続状態が確立状態から切断状態に移行したと判定された場合（ステップＳ２６；ＹＥＳ）、第２携帯通信端末２０のＣＰＵ２１は、当該端末の状態をロック状態に移行させる（ステップＳ２７）。図９（ｃ）に示すように、ロック状態に移行すると、第２携帯通信端末２０の表示部２５では、ロック状態であることを示す情報（例えば、「端末ロック中」の文字情報）が表示され、各アプリケーションプログラムを起動させる操作を行うことができない状態となっている。また、ロック状態では、着信と特定の連絡先にのみ発信が行えるようになっている。
そして、第２携帯通信端末２０のＣＰＵ２１は、処理をステップＳ２１へ戻し、それ以降の処理を繰り返し行う。
【００５５】
また、ステップＳ２６において、第１携帯通信端末１０Ａとの通信接続状態が確立状態から切断状態に移行していないと判定された場合（ステップＳ２６；ＮＯ）、第２携帯通信端末２０のＣＰＵ２１は、処理をステップＳ２１へ戻し、それ以降の処理を繰り返し行う。
【００５６】
以上のように、本実施形態の携帯通信端末制御システム１００は、特定の第１携帯通信端末１０Ａを含む複数の第１携帯通信端末１０Ａ，１０ｂと、アプリケーションプログラム（所定の機能）に実行制限がかけられた制限状態と当該制限状態が解除された解除状態とのうちのいずれかの状態に移行する第２携帯通信端末２０と、を備えた携帯通信端末制御システム１００であって、特定の第１携帯通信端末１０Ａは、他の第１携帯通信端末１０Ｂと第２携帯通信端末２０とのそれぞれの間での近距離無線通信による通信接続が確立状態にあるか否かを判別し、他の第１携帯通信端末１０Ｂとの間での通信接続が確立状態にあると判別されるとともに第２携帯通信端末２０との間での通信接続も確立状態にあると判別された場合、当該第２携帯通信端末２０を解除状態に移行させるための解除信号を当該第２携帯通信端末２０へ送信し、第２携帯通信端末２０は、特定の第１携帯通信端末１０Ａから解除信号を受信した場合、当該第２携帯通信端末２０を制限状態から解除状態に移行させる。
このような構成によれば、第１携帯通信端末１０Ａを身に着けているＡ氏と第１携帯通信端末１０Ｂを身に着けているＢ氏とが互いに揃い二人一組となった場合にのみ、第２携帯通信端末２０のアプリケーションプログラム（アプリケーションプログラム１及びアプリケーションプログラム２）を実行することができるようになるので、Ａ氏とＢ氏の二人が一組で行う作業を徹底することができる。
【００５７】
また、第１携帯通信端末１０Ａは、他の第１携帯通信端末１０Ｂとの間での通信接続が確立状態にあると判別されるとともに第２携帯通信端末２０との間での通信接続も確立状態にあると判別された場合、当該第２携帯通信端末２０を第１解除状態に移行させるための第１解除信号を当該第２携帯通信端末２０へ送信し、他の第１携帯通信端末１０Ｂとの間での通信接続が確立状態にないと判別されるとともに第２携帯通信端末２０との間での通信接続が確立状態にあると判別された場合、当該第２携帯通信端末２０を第２解除状態に移行させるための第２解除信号を当該第２携帯通信端末２０へ送信し、第２携帯通信端末２０は、第１携帯通信端末１０Ａから第１解除信号を受信した場合、当該第２携帯通信端末２０を第１解除状態に移行させ、第１携帯通信端末１０Ａから第２解除信号を受信した場合、当該第２携帯通信端末２０を第２解除状態に移行させる。
このような構成によれば、第１携帯通信端末１０Ａを身に着けているＡ氏と第１携帯通信端末１０Ｂを身に着けているＢ氏とが互いに揃っていない場合であっても、第１携帯通信端末１０Ａと第２携帯通信端末２０との間での通信接続が確立状態にある場合は、アプリケーションプログラム１及びアプリケーションプログラム２以外のアプリケーションプログラム、すなわちＡ氏とＢ氏とが揃った状態での実行が求められないプログラムを実行することができるので、当該システムにおける作業性を高めることができる。
【００５８】
また、第２携帯通信端末２０は、第１携帯通信端末１０Ａとの間での通信接続が確立状態にあるか否かを判別し、第１携帯通信端末１０Ａとの間での通信接続が確立状態にないと判別された場合、当該第２携帯通信端末２０を解除状態から制限状態に移行させる。
これによれば、第２携帯通信端末２０が置かれた場所から第１携帯通信端末１０Ａを身に着けているＡ氏が離れ、第１携帯通信端末１０Ａと第２携帯通信端末２０との通信接続が切断状態になった場合、第２携帯通信端末２０のアプリケーションプログラムを実行することができないようにすることができる。
したがって、Ｂ氏が単独で第２携帯通信端末２０のアプリケーションプログラムを実行したり、第三者が当該アプリケーションプログラムを実行することを防止することができるようになるので、Ａ氏とＢ氏の二人が一組で行う作業を徹底することができる。
【００５９】
なお、上記実施形態における記述は、本発明に係る携帯通信端末制御システムの一例であり、これに限定されるものではない。
例えば、上記実施形態では、第２携帯通信端末２０は、Ａ氏が携帯しているものとして説明を行ったが、Ｂ氏が携帯するようにしてもよい。
【００６０】
また、上記実施形態では、Ａ氏とＢ氏とが二人一組で現金輸送等の作業を行う場面を想定して説明を行ったが、当該作業を一組で行う際の対象者は三人以上であってもよい。かかる場合、各対象者がそれぞれ第１携帯通信端末を携帯するようにする。具体的には、これらの対象者のうちの一の対象者がＢＬＥによる近距離無線通信においてセントラルとして機能する第１携帯通信端末を携帯し、当該一の対象者以外の対象者がペリフェラルとして機能する第１携帯通信端末を所持するようにする。なお、かかる場合、第２携帯通信端末は上記対象者のうちの誰が携帯していてもよい。
【００６１】
また、上記実施形態では、第１携帯通信端末１０Ａが第２携帯通信端末２０に対して解除信号を送信する条件として、第１携帯通信端末１０Ａと第１携帯通信端末１０Ｂとの通信接続状態が確立状態であるとともに第１携帯通信端末１０Ａと第２携帯通信端末２０との通信接続状態も確立状態であることを条件としたが、例えば、Ｂ氏が携帯しているスマートフォン等の第３携帯通信端末と第１携帯通信端末１０Ａとの通信接続状態が確立状態であることを上記条件に加えるようにしてもよい。
【００６２】
また、上記実施形態では、第２携帯通信端末２０の記憶部２３に記憶されているアプリケーションプログラムの実行を制限するようにしたが、当該第２携帯通信端末２０自体の使用を制限するようにしてもよい。
【００６３】
以上、本発明の実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６４】
〔付記〕
＜請求項１＞
特定の第１携帯通信端末を含む複数の第１携帯通信端末と、
所定の機能に実行制限がかけられた制限状態と当該制限状態が解除された解除状態とのうちのいずれかの状態に移行する第２携帯通信端末と、を備えた携帯通信端末制御システムであって、
前記特定の第１携帯通信端末は、
当該特定の第１携帯通信端末以外の他の第１携帯通信端末と前記第２携帯通信端末とのそれぞれの間での近距離無線通信による通信接続が確立状態にあるか否かを判別する第１携帯通信端末側判別手段と、
前記第１携帯通信端末側判別手段により前記他の第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段と、
を備え、
前記第２携帯通信端末は、
前記特定の第１携帯通信端末から前記解除信号を受信した場合、当該第２携帯通信端末を前記解除状態に移行させる制御手段を備える、
ことを特徴とする携帯通信端末制御システム。
＜請求項２＞
前記解除状態には、前記所定の機能の全てに対する実行制限が解除された第１解除状態と、前記所定の機能の一部に対する実行制限が解除された第２解除状態と、が含まれ、
前記送信制御手段は、
前記第１携帯通信端末側判別手段により前記他の第１携帯通信端末との間での前記通信接続が確立状態にあると判別されるとともに前記第２携帯通信端末との間での前記通信接続も確立状態にあると判別された場合、当該第２携帯通信端末を前記第１解除状態に移行させるための第１解除信号を当該第２携帯通信端末へ送信し、
前記第１携帯通信端末側判別手段により前記他の第１携帯通信端末との間での前記通信接続が確立状態にないと判別されるとともに前記第２携帯通信端末との間での前記通信接続が確立状態にあると判別された場合、当該第２携帯通信端末を前記第２解除状態に移行させるための第２解除信号を当該第２携帯通信端末へ送信し、
前記制御手段は、
前記特定の第１携帯通信端末から前記第１解除信号を受信した場合、当該第２携帯通信端末を前記第１解除状態に移行させ、
前記特定の第１携帯通信端末から前記第２解除信号を受信した場合、当該第２携帯通信端末を前記第２解除状態に移行させる、
ことを特徴とする請求項１に記載の携帯通信端末制御システム。
＜請求項３＞
前記第２携帯通信端末は、
前記特定の第１携帯通信端末との間での前記通信接続が確立状態にあるか否かを判別する第２携帯通信端末側判別手段を備え、
前記制御手段は、
前記第２携帯通信端末側判別手段により前記特定の第１携帯通信端末との間での前記通信接続が確立状態にないと判別された場合、当該第２携帯通信端末を前記解除状態から前記制限状態に移行させる、
ことを特徴とする請求項１又は２に記載の携帯通信端末制御システム。
＜請求項４＞
前記第１携帯通信端末は、スマートウォッチであり、
前記第２携帯通信端末は、タブレット型端末である、
ことを特徴とする請求項１〜３のいずれか一項に記載の携帯通信端末制御システム。
＜請求項５＞
一のユーザーが身に着けて使用する親機としての第１のスマートウォッチと、
前記一のユーザーと揃った状態で所定の業務を行う他のユーザーが身に着けて使用する子機としての第２のスマートウォッチと、
前記一のユーザーと前記他のユーザーとが前記業務を行う際に使用され、所定の機能に実行制限がかけられた制限状態と当該制限状態が解除された解除状態とのうちのいずれかの状態に移行するタブレット型端末と、を備えた携帯通信端末制御システムであって、
前記第１のスマートウォッチは、
前記第２のスマートウォッチと前記タブレット型端末とのそれぞれの間での近距離無線通信による通信接続が確立状態にあるか否かを判別する判別手段と、
前記判別手段により前記第２のスマートウォッチとの間での前記通信接続が確立状態にあると判別されるとともに前記タブレット型端末との間での前記通信接続も確立状態にあると判別された場合、当該タブレット型端末を前記解除状態に移行させるための解除信号を当該タブレット型端末へ送信する送信制御手段と、
を備え、
前記タブレット型端末は、
前記第１のスマートウォッチから前記解除信号を受信した場合、当該タブレット型端末を前記解除状態に移行させる制御手段を備える、
ことを特徴とする携帯通信端末制御システム。
＜請求項６＞
一のユーザーに身に着けられ、所定の近距離通信方式における親機として機能する第１のスマートウォッチと、
前記一のユーザーと揃った状態で所定の業務を行う他のユーザーに身に着けられ、前記所定の近距離通信方式における子機として機能する第２のスマートウォッチと、
前記一のユーザーと前記他のユーザーとが前記業務を行う際に使用され、前記第１のスマートウォッチと前記第２のスマートウォッチとの通信接続状態に応じて、所定の機能に実行制限がかけられた制限状態と当該制限状態が解除された解除状態とのうちのいずれかの状態に移行する前記所定の近距離通信方式における子機として機能するタブレット型端末と、
を備えることを特徴とする携帯通信端末制御システム。
＜請求項７＞
１又は２以上の第１携帯通信端末と、所定の機能に実行制限がかけられた制限状態と当該制限状態が解除された解除状態とのうちのいずれかの状態に移行する第２携帯通信端末とのそれぞれの間での近距離無線通信による通信接続が確立状態にあるか否かを判別する判別手段と、
前記判別手段により前記第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段と、
を備えることを特徴とする携帯通信端末。
＜請求項８＞
コンピュータを、
１又は２以上の第１携帯通信端末と、所定の機能に実行制限がかけられた制限状態と当該制限状態が解除された解除状態とのうちのいずれかの状態に移行する第２携帯通信端末とのそれぞれの間での近距離無線通信による通信接続が確立状態にあるか否かを判別する判別手段、
前記判別手段により前記第１携帯通信端末との間での前記通信接続が確立状態にあると判別されるとともに前記第２携帯通信端末との間での前記通信接続も確立状態にあると判別された場合、当該第２携帯通信端末を前記解除状態に移行させるための解除信号を当該第２携帯通信端末へ送信する送信制御手段、
として機能させることを特徴とするプログラム。
【符号の説明】
【００６５】
１００  携帯通信端末制御システム
１０Ａ  第１携帯通信端末（特定の第１携帯通信端末）
１１  ＣＰＵ（第１携帯通信端末側判別手段（判別手段）、送信制御手段）
１０Ｂ  第１携帯通信端末
２０  第２携帯通信端末
２１  ＣＰＵ（制御手段、第２携帯通信端末側判別手段）
【図１】
2020161857.tif 000003
【図２】
2020161857.tif 000004
【図３】
2020161857.tif 000005
【図４】
2020161857.tif 000006
【図５】
2020161857.tif 000007
【図６】
2020161857.tif 000008
【図７】
2020161857.tif 000009
【図８】
2020161857.tif 000010
【図９】
2020161857.tif 000011